(57)【要約】【課題】タイル床面の清掃・磨きに要する作業時間短縮を図り、装置の収容に必要な常設スペースの削減を図る。それぞれの作業時間や常設スペースは従来の半分とする。【解決手段】吸引クリーナ１０１と集塵容器１０４と回転バフ１０５とバフ回転モータ１０６とバッテリ１０７を筐体１１３に組み込み、手押しハンドル１１０を押し進めながら前進し、床面の清掃（集塵）部分を吸引クリーナ１０１の吸い込み口１０２で行い、床面の仕上げ（磨き）部分を回転バフ１０５で行う。【選択図】　　　　図１
0003097152.tif 000002
【実用新案登録請求の範囲】
【請求項１】
床面付着物を吸引する吸引クリーナと、前記床面付着物を収納する集塵容器と、床面を磨く回転バフと、前記回転バフを駆動するバフ回転モータと、前記吸引クリーナと前記集塵容器と前記回転バフと前記バフ回転モータとを収納する筐体を有し、床面の清掃と床面磨きを行うことを特徴とする電気床磨き機。
【請求項２】
吸引クリーナとバフ回転モータを駆動する電源供給手段は筐体に収納されたバッテリであることを特徴とする請求項１記載の電気床磨き機。
【考案の詳細な説明】
【０００１】
【考案の属する技術分野】
この考案は床面の清掃や床面磨きに使用する床磨き機に関するものであって、特にコンビニエンスストアやデパートの売り場など大勢の人間が往来するタイル張り床面の清掃、磨き（ツヤ出し研磨）を行う床磨き機に関するものである。
【０００２】
【従来の技術】
床磨き機としては特開２０００−９３３５９号公報図１に示すように家庭用電気掃除機を使用し、掃除機の吸引ホースの先端部の吸引時の風力を利用し、綿布質のワックス掛け用モップを回転させ、床ワックス掛け及び拭き掃除する空気回転式ワックス掛け装置が開示されている。
【０００３】
また、特開２００２−６５５３７号公報図３にはパッドカバー内部で発生したダストを回収する機構を保持し、パッドカバーの内部に設けたパッドを回転させて床磨きをおこなう電気床磨き機が開示されている。
【０００４】
【考案が解決しようとする課題】
特開２０００−９３３５９記載のワックス掛け装置は、あらかじめ設けた電気掃除機を利用して、電気掃除機の吸引用ホースをワックス掛け装置の掃除機吸引口１に接続することでワックス掛けを行う必要があり、作業や人手の手間を必要とする。
【０００５】
また、特開２００２−６５５３７記載の電気床磨き機はパッドカバー１１から発生したダストを集塵フィルター２６を介して集塵室２３からの排気として還元路２４を通してパッドカバー１１内に戻している。この場合、ダストは集塵フィルター２６で除去されるが、磨き部分（パッド１２）とダスト除去部分（パッド１２）が同一箇所なのでダストを混在させながら磨くと言う問題点があった。
【０００６】
この考案は上記のような問題点を解決するためになされたもので、作業や人手の手間を省き、ダストを充分除去しながら床磨きを行うことを目的とする。
【０００７】
【課題を解決するための手段】
この考案に係る電気床磨き機は、床面付着物（ダスト・ごみ）を吸引する電動式吸引クリーナと、床面付着物を収納する集塵容器と、床面を磨く回転バフと、回転バフを駆動するバフ回転モータと、少なくとも電動式吸引クリーナと前記集塵容器と回転バフと前記バフ回転モータを収納する筐体を有し、床面の清掃と床面磨きを行うことを特徴とする。
【０００８】
【実施例】
実施の形態１．
この考案の実施の形態１を図１、図２について説明する。図において、１０１は床面の付着物を除去する電動式吸引クリーナ（吸引クリーナ）、１０２は電動式吸引クリーナ１０１で付着物を集塵する吸い込み口（ノズル）、１０３は吸引クリーナ１０１の吸引ホース、１０４は付着物を収納する集塵容器（ごみ収集箱）、１０５は床面を磨く回転バフ、１０６は回転バフ１０５を駆動させるバフ回転モータ（直流電動機）、１０７はバッテリ（蓄電池）であり、吸引クリーナ１０１やバフ回転モータ１０６に電源を供給する。１０８は枠体、１０９は車輪、１１０は手押しハンドル、１１１は吸引クリーナ１０１の開閉スイッチ、１１２はバフ回転モータ１０６の開閉スイッチ、１１３は筐体である。
【０００９】
次に動作について説明する。図１において、吸引クリーナ１０１を作動させ、吸引クリーナ１０１の吸い込み口（ノズル）１０２で床面に付着したごみや異物を除去する。これらのごみや異物は吸引ホース１０３を通過して集塵容器１０４に収納される。一方、回転バフ１０５を作動させ、清掃されて付着物の無い床面を回転バフ１０５で磨く。回転バフ１０５はその上部に設置されたバフ回転モータ１０６で回転させながら床面をツヤ出し研磨する。
【００１０】
吸引クリーナ１０１やバフ回転モータ１０６はバッテリ１０７を電源の供給源としており、バッテリ１０７は吸引クリーナ１０１の内部に内蔵されている２００Ｗモータ１基（図示せず）と、バフ回転モータ１０６を駆動するための直流電源（１２Ｖ３５ＡＨ）２基を搭載している。バッテリ１０７は手押しハンドル１１０に組み込まれた吸引クリーナ１０１用の開閉スイッチ１１１とバフ回転モータ１０６用の開閉スイッチ１１２を介して吸引クリーナ１０１やバフ回転モータ１０６にそれぞれ電源を供給する。また、バッテリ１０７は安全確保のため枠体１０８で保護されている。
【００１１】
操作は１人の人手でもって行われ、手押しハンドル１１０が枠体１０８の外部に延設されており、手押しハンドル１１０の端部に設置された吸引クリーナ開閉スイッチ１１１とバフ回転モータ開閉スイッチ１１２を適宜操作しながら備え付けられた回転式の車輪１０９を利用して手押しハンドル１１０を押し進めながら前進し、清掃と床面磨き（ツヤ出し研磨）を同時又は順次に行う。すなわち、通常は吸引クリーナ開閉スイッチ１１１及びバフ回転モータ開閉スイッチ１１２は共に閉状態で作業を行う。なお、吸い込み口１０２、車輪１０９、枠体１０８から延設されている手押しハンドル１１０など一部の突出部分を除き一連の構成物は筐体１１３内に取り付けられ収納されている。
【００１２】
以上から、本実施例によれば吸い込み口１０２と回転バフ１０５部分を１個の筐体１１３で一体化したので床面の清掃とツヤ出し研磨を同時に行うことができ、装置の小型化と人手の掛かる作業手間が省けると言う利点がある。且つ装置保管のための常設スペースが少なくて済むので実用性に優れている。
【００１３】
また、筐体１１３にバッテリ１０７を搭載したので外部電源供給手段が不要であり、操作する際に、足元を電源コードが邪魔することもないので操作が容易である。
【００１４】
実施の形態２．
なお、本考案の実施の形態１ではバッテリ１０７を電気床磨き機に搭載したが外部電源供給源を利用して電源供給しても良い。その場合でも装置の小型化と人手の手間が省けると言う利点がある。
【００１５】
【考案の効果】
以上から本考案に係る電気床磨き機では吸引クリーナと回転バフを一体化したので掃除機と床磨き機とを別々に運転した場合に比べて人手の手間を省力化できる効果がある。また、運転時間外の機器の保管のための常設スペースが少なくてすみ実用性に優れていると言う利点がある。
【図面の簡単な説明】
【図１】この考案の実施の形態１による電気床磨き機の構成を示す平面図である。
【図２】この考案の実施の形態１による電気床磨き機の構成を示す側面図である。
【符号の説明】
１０１　電動式吸引クリーナ、　１０２　吸い込み口、　１０３　吸引ホース、　１０４　集塵容器、　１０５　回転バフ、　１０６　バフ回転モータ、　１０７　バッテリ、　１０８　枠体、　１０９　車輪、　１１０　手押しハンドル、　１１１　吸引クリーナ開閉スイッチ、　１１２　バフ回転モータ開閉スイッチ、　１１３　筐体。
【図１】
0003097152.tif 000003
【図２】
0003097152.tif 000004